(57)【要約】【課題】簡易かつ堅牢で、使い勝手に優れた折り畳み構造のモノポールアンテナを提供する。【解決手段】モノポールアンテナ１３の下側アンテナ素子１４ｂの上部外周にねじ部２１を形成し、上側アンテナ素子１４ａの下部に下側内面にねじ加工を施した固定カバー２２を設ける。上記アンテナ素子１４ａ、１４ｂの間は、関節部２３により接続する。関節部２３は、折り畳み可能に構成する。素子を展開する場合には、関節部２３を利用してアンテナ素子１４ａ、１４ｂの軸が一致するように延ばし、固定カバー２２を下側アンテナ素子１４ｂ方向に移動させ、ねじ部２１にねじ込んで固定する。素子を折り畳む場合は、固定カバー２２を緩めてねじ部２１から外し、上部方向に移動させた後、上側アンテナ素子１４ａを１８０°下方に回転させ、下側アンテナ素子１４ｂと平行になるように折り畳む。【選択図】      図２
2007251396.tif 000002
【特許請求の範囲】
【請求項１】
複数のアンテナ素子を連結してなるモノポールアンテナにおいて、上部外周にねじ部を形成した下側アンテナ素子と、前記下側アンテナ素子の上側に設けられる上側アンテナ素子と、前記下側アンテナ素子と上側アンテナ素子との間を折り畳み可能に連結する関節部と、前記上側アンテナ素子の外部に移動可能に設けられ、下部内面に前記下側アンテナ素子のねじ部に螺合するねじ加工を施した固定カバーとを具備し、
前記固定カバーにおける下部内面のねじ加工部を前記下側アンテナ素子のねじ部に螺合させて前記上側アンテナ素子と下側アンテナ素子とを固定して保持することを特徴とするモノポールアンテナ。
【請求項２】
複数のアンテナ素子を連結してなるモノポールアンテナにおいて、下側アンテナ素子と、前記下側アンテナ素子の上側に設けられる上側アンテナ素子と、前記上側アンテナ素子の下部に設けられる関節部と、前記下側アンテナ素子の上部内側に設けられ、前記上側アンテナ素子の下部及び関節部を収納する関節収納部と、前記上側アンテナ素子の下部が関節部と共に前記下側アンテナ素子の関節収納部の所定位置まで挿入された状態で上側アンテナ素子の位置を規制するストッパと、前記関節収納部からの関節部の脱落を防止する脱落防止手段とを具備し、
前記関節収納部に前記上側アンテナ素子の下部及び関節部を収納することにより前記上部アンテナ素子と下部アンテナ素子とを固定して保持することを特徴とするモノポールアンテナ。
【請求項３】
複数のアンテナ素子を連結してなるモノポールアンテナにおいて、上部外周にねじ部を形成した下側アンテナ素子と、前記下側アンテナ素子の上部内側に形成されたチェーン収納部と、前記下側アンテナ素子の上側に設けられる上側アンテナ素子と、前記下側アンテナ素子のチェーン収納部と上側アンテナ素子との間を連結するチェーンと、前記上側アンテナ素子の外部に移動可能に設けられ、下部内面に前記下側アンテナ素子のねじ部に螺合するねじ加工を施した固定カバーとを具備し、
前記上側アンテナ素子と下側アンテナ素子とを連結する際、前記チェーンをチェーン収納部に収納し、前記固定カバーにおける下部内面のねじ加工部を前記下側アンテナ素子のねじ部に螺合させて前記上側アンテナ素子と下側アンテナ素子とを固定して保持することを特徴とするモノポールアンテナ。
【請求項４】
複数のアンテナ素子を連結してなるモノポールアンテナにおいて、下側アンテナ素子と、前記下側アンテナ素子の上部内側に形成されたチェーン収納部と、前記下側アンテナの上端部に装着され、中央部に透孔が形成された円板状の第１の磁石と、前記下側アンテナ素子の上側に設けられる上側アンテナ素子と、前記上側アンテナ素子の下端部に装着された円板状の第２の磁石と、前記下側アンテナ素子のチェーン収納部と前記上側アンテナ素子の第２の磁石との間を接続するチェーンと、前記第１の磁石及び第２の磁石の連結位置を決める位置決め手段とを具備し、
前記第１の磁石及び第２の磁石の磁力により、前記下側アンテナ素子と上側アンテナ素子とを連結することを特徴とするモノポールアンテナ。
【請求項５】
複数のアンテナ素子を連結してなるモノポールアンテナにおいて、下側アンテナ素子と、前記下側アンテナ素子の上側に設けられる上側アンテナ素子と、前記下側アンテナ素子と上側アンテナ素子との間を連結するバネと、前記下側アンテナ素子と上側アンテナ素子とを接続する導線とを具備することを特徴とするモノポールアンテナ。
【発明の詳細な説明】
【技術分野】
【０００１】
本発明は、例えば移動体通信における車載用、携行用等に使用されるモノポールアンテナに関する。
【背景技術】
【０００２】
従来、モノポールアンテナは、構造の簡易さから、車載用、携行用等の用途に数多く使用されている。しかし、モノポールアンテナは、構造上、軸方向に対し電気特性に由来する所定の長さが必要であり、収納時または携行用として使用する際、その長さが障害となる場合がある。このため従来のモノポールアンテナでは、分割つなぎ方式を用いて折り畳み構造とし、収納時または携行時に全長を短くできるようにしたものがある。
【０００３】
また、本発明に関連する公知技術として、支柱長を最低使用周波数の１／２０波長程度に短くし、ローディング素子、ローディングコイル及び整合器を付加することにより、広帯域特性を持たせると共に、水平ステーを不要にして軽量化を図り、開設、撤収が容易に行なえるようにした可搬用のコニカルモノポールアンテナが知られている（例えば、特許文献１参照。）。
【特許文献１】実開平５−３６９１６号公報
【発明の開示】
【発明が解決しようとする課題】
【０００４】
上記従来の分割つなぎ方式を用いて折り畳み構造とし、収納時または携行時に全長を短くできるようにしたモノポールアンテナでは、折り畳むことによって容易に携行することが可能になるが、分割した際、部品を紛失するなどの問題があった。
【０００５】
また、上記折り畳み構造のモノポールアンテナにおいて、折り畳みを解除して展開する際、バネアクションを併用して展開を容易にしたものがある。しかし、このバネアクションを併用したモノポールアンテナは、構造が複雑であり、高価となる欠点があった。
【０００６】
本発明は上記の課題を解決するためになされたもので、簡易かつ堅牢で、使い勝手に優れた折り畳み構造のモノポールアンテナを提供することを目的とする。
【課題を解決するための手段】
【０００７】
第１の発明は、複数のアンテナ素子を連結してなるモノポールアンテナにおいて、上部外周にねじ部を形成した下側アンテナ素子と、前記下側アンテナ素子の上側に設けられる上側アンテナ素子と、前記下側アンテナ素子と上側アンテナ素子との間を折り畳み可能に連結する関節部と、前記上側アンテナ素子の外部に移動可能に設けられ、下部内面に前記下側アンテナ素子のねじ部に螺合するねじ加工を施した固定カバーとを具備し、前記固定カバーにおける下部内面のねじ加工部を前記下側アンテナ素子のねじ部に螺合させて前記上側アンテナ素子と下側アンテナ素子とを固定して保持することを特徴とする。
【０００８】
第２の発明は、複数のアンテナ素子を連結してなるモノポールアンテナにおいて、下側アンテナ素子と、前記下側アンテナ素子の上側に設けられる上側アンテナ素子と、前記上側アンテナ素子の下部に設けられる関節部と、前記下側アンテナ素子の上部内側に設けられ、前記上側アンテナ素子の下部及び関節部を収納する関節収納部と、前記上側アンテナ素子の下部が関節部と共に前記下側アンテナ素子の関節収納部の所定位置まで挿入された状態で上側アンテナ素子の位置を規制するストッパと、前記関節収納部からの関節部の脱落を防止する脱落防止手段とを具備し、前記関節収納部に前記上側アンテナ素子の下部及び関節部を収納することにより前記上部アンテナ素子と下部アンテナ素子とを固定して保持することを特徴とする。
【０００９】
第３の発明は、複数のアンテナ素子を連結してなるモノポールアンテナにおいて、上部外周にねじ部を形成した下側アンテナ素子と、前記下側アンテナ素子の上部内側に形成されたチェーン収納部と、前記下側アンテナ素子の上側に設けられる上側アンテナ素子と、前記下側アンテナ素子のチェーン収納部と上側アンテナ素子との間を連結するチェーンと、前記上側アンテナ素子の外部に移動可能に設けられ、下部内面に前記下側アンテナ素子のねじ部に螺合するねじ加工を施した固定カバーとを具備し、前記上側アンテナ素子と下側アンテナ素子とを連結する際、前記チェーンをチェーン収納部に収納し、前記固定カバーにおける下部内面のねじ加工部を前記下側アンテナ素子のねじ部に螺合させて前記上側アンテナ素子と下側アンテナ素子とを固定して保持することを特徴とする。
【００１０】
第４の発明は、複数のアンテナ素子を連結してなるモノポールアンテナにおいて、下側アンテナ素子と、前記下側アンテナ素子の上部内側に形成されたチェーン収納部と、前記下側アンテナの上端部に装着され、中央部に透孔が形成された円板状の第１の磁石と、前記下側アンテナ素子の上側に設けられる上側アンテナ素子と、前記上側アンテナ素子の下端部に装着された円板状の第２の磁石と、前記下側アンテナ素子のチェーン収納部と前記上側アンテナ素子の第２の磁石との間を接続するチェーンと、前記第１の磁石及び第２の磁石の連結位置を決める位置決め手段とを具備し、前記第１の磁石及び第２の磁石の磁力により、前記下側アンテナ素子と上側アンテナ素子とを連結することを特徴とする。
【００１１】
第５の発明は、複数のアンテナ素子を連結してなるモノポールアンテナにおいて、下側アンテナ素子と、前記下側アンテナ素子の上側に設けられる上側アンテナ素子と、前記下側アンテナ素子と上側アンテナ素子との間を連結するバネと、前記下側アンテナ素子と上側アンテナ素子とを接続する導線とを具備することを特徴とする。
【発明の効果】
【００１２】
本発明によれば、アンテナ素子を容易に展開して強固に固定できると共に、収納時には容易に折り畳むことが可能であり、しかも簡易かつ堅牢な構造で使い勝手に優れ、コストの低下を図ることができる。また、アンテナ素子を折り畳む場合においても部品を取り外す必要が無く、部品の紛失を確実に防止することができる。
【発明を実施するための最良の形態】
【００１３】
以下、図面を参照して本発明の実施形態を説明する。  
（第１実施形態）
図１は、本発明の第１実施形態に係るモノポールアンテナを地上設置用の空中線に実施した場合の例を示す全体の構成図である。  
図１において、１０は整合器で、この整合器１０には給電線である高周波ケーブル１１が接続される。上記整合器１０の上部には、素子スプリング１２を介してモノポールアンテナ１３が装着される。モノポールアンテナ１３は、複数例えば３本のアンテナ素子１４ａ〜１４ｃを素子折り曲げ部１５ａ、１５ｂによって接続している。また、上部のアンテナ素子１４ａと下部のアンテナ素子１４ｃには、それぞれローディング素子１６ａ、１６ｂが装着される。
【００１４】
上記のモノポールアンテナ１３を地上に設置する場合には、例えば地面１７に打ち込んだ杭１８の上部に上記整合器１０の部分を取付金具（図示せず）により取り付ける。この場合、モノポールアンテナ１３は、垂直となるように杭１８に取り付けて使用する。
【００１５】
次に、上記素子折り曲げ部１５ａ、１５ｂの詳細について図２を参照して説明する。なお、素子折り曲げ部１５ａ、１５ｂは、同じ構造であるので、最上部のアンテナ素子１４ａとその下側に位置するアンテナ素子１４ｂ間を接続する素子折り曲げ部１５ａについて説明する。
【００１６】
図２は素子折り曲げ部１５ａの詳細な構成を示すもので、（ａ）、（ｂ）はアンテナ素子を展開する過程を示す側面図、（ｃ）は展開完了後の素子結合部分の断面図、（ｄ）、（ｅ）は折り畳みの過程を示す側面図、（ｆ）は折り畳み後の平面図である。
【００１７】
以下、素子折り曲げ部１５ａの上側に位置するアンテナ素子１４ａを上側アンテナ素子１４ａ、下側に位置するアンテナ素子１４ｂを下側アンテナ素子１４ｂとして説明する。
【００１８】
図２（ａ）に示すように下側アンテナ素子１４ｂの上部外周にねじ部２１を形成し、上側アンテナ素子１４ａの下部には、下側内面にねじ加工を施した固定カバー２２を設ける。そして、上側アンテナ素子１４ａと下側アンテナ素子１４ｂとの間は、関節部２３により接続する。関節部２３は、上側アンテナ素子１４ａ及び下側アンテナ素子１４ｂに対し、それぞれ透孔内に軸を結合させて上下方向に例えば略１８０°回転できるように、すなわち折り畳み可能に構成される。
【００１９】
上記固定カバー２２は、上側アンテナ素子１４ａ及び関節部２３部分を移動できるように設けられ、下側内面に施したねじ加工部が下側アンテナ素子１４ｂのねじ部２１に螺合できるようになっている。この場合、図２（ｃ）に示すように上側アンテナ素子１４ａの下端部を大径に形成し、その大径部２４の上側に固定カバー２２の上部内側縁が係止されるようにしている。
【００２０】
そして、モノポールアンテナ１３を展開する場合には、図２（ａ）に示すように関節部２３を利用して、上側アンテナ素子１４ａと下側アンテナ素子１４ｂの軸が一致するように延ばし、同図（ｂ）に示すように固定カバー２２を下側アンテナ素子１４ｂ方向に移動させ、固定カバー２２を回転させて下側アンテナ素子１４ｂのねじ部２１にねじ込み、同図（ｃ）に示すように上側アンテナ素子１４ａと下側アンテナ素子１４ｂとを一直線状に固定する。このとき固定カバー２２の上端開口部は、上側アンテナ素子１４ａの大径部２４に係止される。
【００２１】
また、モノポールアンテナ１３を折り畳む場合には、固定カバー２２を緩めて下側アンテナ素子１４ｂのねじ部２１から外し、図２（ａ）に示したように固定カバー２２を上側アンテナ素子１４ａ方向に移動させる。この状態で、図２（ｄ）〜（ｆ）に示すように関節部２３を利用して上側アンテナ素子１４ａを下方向に回転させ、下側アンテナ素子１４ｂと平行になるように折り畳む。
【００２２】
図３は、図１に示したモノポールアンテナ１３の各アンテナ素子１４ａ〜１４ｃを素子折り曲げ部１５ａ、１５ｂで折り畳んだ状態を示している。
【００２３】
上記第１実施形態によれば、アンテナ素子を容易に展開して強固に固定できると共に、収納時には容易に折り畳むことが可能であり、しかも簡易かつ堅牢な構造で使い勝手に優れ、コストの低下を図ることができる。また、素子折り曲げ部１５ａ、１５ｂは、アンテナ素子を折り畳む場合においても部品を取り外す必要が無く、部品の紛失を確実に防止することができる。
【００２４】
（第２実施形態）
次に本発明の第２実施形態について説明する。  
図４は、本発明の第２実施形態に係るモノポールアンテナ１３のアンテナ素子１４ａ、１４ｂ間の素子折り曲げ部１５ａの構成を示したもので、（ａ）は素子折り曲げ部１５ａ部分の一部断面図、（ｂ）、（ｃ）は素子を展開する過程を示す側面図、（ｄ）は展開完了後の断面図である。
【００２５】
上側アンテナ素子１４ａと下側アンテナ素子１４ｂとの間を結合する素子折り曲げ部１５ａは、第１実施形態と同様に関節部２３を備えている。関節部２３は、上端部が上側アンテナ素子１４ａに対して上下方向に略１８０°回転可能に結合され、下端部が円柱状の摺動部材３１に上下方向に略１８０°回転可能に結合される。上側アンテナ素子１４ａは、下端部が小径に形成され、その小径部３２の先端に上記関節部２３が結合される。また、摺動部材３１は、下部を大径、上部を小径に形成して段差部３１ａを設けている。
【００２６】
一方、下側アンテナ素子１４ｂは、少なくとも上部を円筒状に形成して内側に関節収納部３３を設け、この関節収納部３３に上記摺動部材３１を収納する。摺動部材３１の大径部は、関節収納部３３の直径と寸法差が殆どなく、ある程度の圧力を加えることによって摺動部材３１が関節収納部３３内を摺動できるように設定されている。また、下側アンテナ素子１４ｂの上端開口部の周縁部、少なくとも内周縁に沿って例えばリング状のストッパ３４が装着される。このストッパ３４は、関節部２３を上方に引き上げた際に摺動部材３１の段差部３１ａに当接し、関節収納部３３から関節部２３が脱落するのを防止する。なお、上側アンテナ素子１４ａの下端部に形成された小径部３２は、ストッパ３４の内側を通って関節収納部３３内に挿入できるように大きさが設定されている。
【００２７】
上記の構成において、モノポールアンテナ１３を展開する場合には、図４（ａ）、（ｂ）に示すように、関節部２３を利用して上側アンテナ素子１４ａと下側アンテナ素子１４ｂの軸が一致するように延ばし、同図（ｃ）に示すように上側アンテナ素子１４ａを関節部２３と共に下側アンテナ素子１４ｂ方向に力を加えて引き下げ、上側アンテナ素子１４ａの小径部３２及び関節部２３を下側アンテナ素子１４ｂの関節収納部３３内に圧入する。このとき上側アンテナ素子１４ａの小径部３２に上端に形成されている段差部がストッパ３４に当接して係止される。この状態では、図４（ｄ）に示すように上側アンテナ素子１４ａの小径部３２、関節部２３及び摺動部材３１が関節収納部３３内に収納されて上側アンテナ素子１４ａと下側アンテナ素子１４ｂが結合した状態に保持され、モノポールアンテナ１３の展開を完了する。
【００２８】
また、モノポールアンテナ１３を折り畳む場合には、図４（ａ）、（ｂ）に示したように上側アンテナ素子１４ａを上方に引き上げ、下側アンテナ素子１４ｂの関節収納部３３から関節部２３を引き抜く。この状態では、関節部２３は自由に動かせるようになるので、第１実施形態の図２（ｅ）に示したように関節部２３を利用して上側アンテナ素子１４ａを下方に１８０°回転させ、下側アンテナ素子１４ｂと平行になるように折り畳む。なお、上記下側アンテナ素子１４ｂの関節収納部３３から関節部２３を引き抜いた際、摺動部材３１は段差部３１ａがストッパ３４に当接し、関節収納部３３からの脱落を防止する。
【００２９】
上記第２実施形態によれば、アンテナ素子間の固定及び固定解除にねじを回すなどの特別な操作を行なう必要が無く、きわめて簡単にアンテナ素子を展開して固定したり、折り畳んだりすることが可能であり、かつ簡易な構造でコストの低下を図ることができる。また、アンテナ素子を折り畳む場合においても部品を取り外す必要が無く、部品の紛失を確実に防止することができる。
【００３０】
（第３実施形態）
次に本発明の第３実施形態について説明する。  
図５は、本発明の第３実施形態に係るモノポールアンテナ１３のアンテナ素子１４ａ、１４ｂ間の素子折り曲げ部１５ａの構成を示したもので、（ａ）は側面図、（ｂ）は素子を折り畳んだ状態を示す側面図、（ｃ）は素子を展開した状態を示す側面図、（ｄ）は展開完了後の断面図である。
【００３１】
図５（ａ）に示すように第１実施形態と同様に下側アンテナ素子１４ｂの上部外周にねじ部２１が形成され、上側アンテナ素子１４ａの下部には、下側内面にねじ加工を施した固定カバー２２が設けられる。また、上側アンテナ素子１４ａには、固定カバー２２の上方部位に該固定カバー２２の移動範囲を規制するストッパ４１が設けられる。
【００３２】
そして、下側アンテナ素子１４ｂの上部内側にチェーン収納部４２を設け、このチェーン収納部４２の底部と上側アンテナ素子１４ａの下端部との間をチェーン４３により連結する。チェーン４３は、チェーン収納部４２の底部及び上側アンテナ素子１４ａに対して例えば圧着、リベット、ねじ等を利用して固着される。
【００３３】
上記固定カバー２２は、上側アンテナ素子１４ａ及びチェーン４３部分を移動できるように設けられ、下側内面に施したねじ加工部が下側アンテナ素子１４ｂのねじ部２１に螺合できるようになっている。この場合、上側アンテナ素子１４ａの下端部を大径に形成し、その大径部２４の上側に固定カバー２２のねじ加工部の上側縁が係止されるようにしている。
【００３４】
上記の構成において、モノポールアンテナ１３を展開する場合には、図５（ａ）に示すように、チェーン４３を利用して上側アンテナ素子１４ａと下側アンテナ素子１４ｂの軸が一致するように延ばし、同図（ｃ）、（ｄ）に示すように固定カバー２２及び上側アンテナ素子１４ａを下側アンテナ素子１４ｂ方向に移動させる。このときチェーン４３をチェーン収納部４２内に収納させる。この状態で固定カバー２２を回転させて下側アンテナ素子１４ｂのねじ部２１にねじ込み、上側アンテナ素子１４ａと下側アンテナ素子１４ｂとを一直線状に固定する。
【００３５】
また、モノポールアンテナ１３を折り畳む場合には、図５（ａ）に示すように固定カバー２２を緩めて下側アンテナ素子１４ｂのねじ部２１から外し、固定カバー２２を上側アンテナ素子１４ａ方向に移動する。この状態で、図５（ｂ）に示すようにチェーン４３の自在な屈曲性を利用して上側アンテナ素子１４ａを下方に回転させ、下側アンテナ素子１４ｂと平行になるように折り畳む。
【００３６】
上記第３実施形態によれば、第１実施形態と同様にアンテナ素子を容易に展開して強固に固定できると共に、収納時には容易に折り畳むことが可能であり、かつ簡易な構造でコストの低下を図ることができる。
【００３７】
（第４実施形態）
次に本発明の第４実施形態について説明する。  
図６は、本発明の第４実施形態に係るモノポールアンテナ１３のアンテナ素子１４ａ、１４ｂの間の素子折り曲げ部１５ａの構成を示したもので、（ａ）は側面図、（ｂ）はアンテナ素子を折り畳んだ状態を示す側面図、（ｃ）はアンテナ素子を展開した状態を示す一部断面図である。
【００３８】
この第４実施形態は、上記第３実施形態における上側アンテナ素子１４ａと下側アンテナ素子１４ｂ間の連結手段、すなわち上側アンテナ素子１４ａに設けた固定カバー２２と下側アンテナ素子１４ｂに設けたねじ部２１とによる連結手段に代えて磁石による連結手段を用いたものである。
【００３９】
すなわち、図６（ａ）に示すように上側アンテナ素子１４ａの下端部、この場合の例では固定カバー２２の下端部に例えば円板状の第１の磁石５１を装着すると共に、下側アンテナ素子１４ｂの上端部に円板状の第２の磁石５２を装着する。第２の磁石５２の中央部には、チェーン４３を挿通させるための透孔５３が設けられる。また、第１の磁石５１の中央部には、上記透孔５３内に挿入する例えば円筒状の突部５４が設けられる。上記第１及び第２の磁石５１、５２を連結する際、第１の磁石５１に設けた突部５４を第２の磁石５２に設けた透孔５３内に挿入することにより、両者が中央部で結合するように位置決めを行なう。
【００４０】
また、第３実施形態と同様に下側アンテナ素子１４ｂの上部内側にチェーン収納部４２を設け、このチェーン収納部４２の底部と第１の磁石５１との間をチェーン４３により連結する。
【００４１】
上記の構成において、モノポールアンテナ１３を展開する場合には、図６（ａ）に示すように、チェーン４３を利用して上側アンテナ素子１４ａと下側アンテナ素子１４ｂの軸が一致するように延ばし、次いで同図（ｃ）に示すように上側アンテナ素子１４ａ及び固定カバー２２を下側アンテナ素子１４ｂ方向に移動させながらチェーン４３をチェーン収納部４２に収納し、固定カバー２２に設けた第１の磁石５１と下側アンテナ素子１４ｂに設けた第２の磁石５２とを磁力により結合させる。このとき第１の磁石５１に設けた突部５４を第２の磁石５２に設けた透孔５３内に挿入して位置決めを行ない、上側アンテナ素子１４ａと下側アンテナ素子１４ｂの軸を一致させる。
【００４２】
また、モノポールアンテナ１３を折り畳む場合には、図６（ａ）に示すように第１の磁石５１と第２の磁石５２の磁力に抗して両者を引き離し、図６（ｂ）に示すようにチェーン４３の自在な屈曲性を利用して上側アンテナ素子１４ａを下側アンテナ素子１４ｂと平行になるように折り畳む。
【００４３】
上記第４実施形態によれば、第２実施形態と同様にアンテナ素子間の固定及び固定解除にねじを回すなどの特別な操作を行なう必要が無く、きわめて簡単にアンテナ素子を展開して固定したり、折り畳んだりすることが可能であり、かつ非常に簡易な構造でコストの低下を図ることができる。
【００４４】
なお、上記第４実施形態では、固定カバー２２の下端部に第１の磁石５１を設けた場合について示したが、固定カバー２２を設けずに上側アンテナ素子１４ａの下端部に第１の磁石５１を装着し、下側アンテナ素子１４ｂに設けた第２の磁石５２と結合するようにしても良い。
【００４５】
（第５実施形態）
次に本発明の第５実施形態について説明する。  
図７は、本発明の第５実施形態に係る上側アンテナ素子１４ａと下側アンテナ素子１４ｂとの間の素子折り曲げ部１５ａの構成を示したもので、（ａ）はアンテナ素子を展開した状態を示す図、（ｂ）はアンテナ素子を折り畳んだ状態を示す図である。
【００４６】
この第５実施形態では、図７（ａ）に示すように上側アンテナ素子１４ａと下側アンテナ素子１４ｂとの間を例えばコイル状に形成した折り曲げ可能なバネ６１によって連結し、上側アンテナ素子１４ａと下側アンテナ素子１４ｂとを導線６２によって電気的に接続している。この場合、導線６２は、バネ６１の内部を挿通させて上側アンテナ素子１４ａと下側アンテナ素子１４ｂとを電気的に接続する。
【００４７】
上記の構成において、モノポールアンテナ１３を展開する場合には、図７（ａ）に示すようにバネ６１の張力により展開し、上側アンテナ素子１４ａと下側アンテナ素子１４ｂとを一直線状に保持する。  
また、モノポールアンテナ１３を折り畳む場合は、図７（ｂ）に示すようにバネ６１を屈曲させて上側アンテナ素子１４ａを下側アンテナ素子１４ｂと平行になるように折り畳む。
【００４８】
なお、バネによっては一度折り畳むと、その折り畳んだ状態を保持する機能を備えたものがあるので、そのようなバネを利用することによって素子の折り畳みを容易に行なうことが可能である。
【００４９】
上記第５実施形態によれば、きわめて簡単にアンテナ素子を展開したり、折り畳んだりすることが可能であり、かつ非常に簡易な構造でコストの低下を図ることができる。
【００５０】
なお、上記実施形態では、本発明に係るモノポールアンテナを地上設置用の空中線に実施した場合について説明したが、その他、車載用や携行用のアンテナにおいても上記実施形態と同様にして実施し得るものである。
【００５１】
また、本発明は、上記実施形態そのままに限定されるものではなく、実施段階ではその要旨を逸脱しない範囲で構成要素を変形して具体化できるものである。
【図面の簡単な説明】
【００５２】
【図１】本発明の第１実施形態に係るモノポールアンテナを地上設置用の空中線に実施した場合の例を示す全体の構成図である。
【図２】同実施形態におけるモノポールアンテナの素子折り曲げ部の詳細な構成図である。
【図３】同実施形態におけるモノポールアンテナの各素子を折り畳んで収納した状態を示す図である。
【図４】本発明の第２実施形態に係るモノポールアンテナの素子折り曲げ部の構成図である。
【図５】本発明の第３実施形態に係るモノポールアンテナの素子折り曲げ部の構成図である。
【図６】本発明の第４実施形態に係るモノポールアンテナの素子折り曲げ部の構成図である。
【図７】本発明の第５実施形態に係るモノポールアンテナの素子折り曲げ部の構成図である。
【符号の説明】
【００５３】
１０…整合器、１１…高周波ケーブル、１２…素子スプリング、１３…モノポールアンテナ、１４ａ〜１４ｃ…アンテナ素子、１５ａ、１５ｂ…素子折り曲げ部、１６ａ．１６ｂ…ローディング素子、１７…地面、１８…杭、２２…固定カバー、２３…関節部、２４…大径部、３１…摺動部材、３１ａ…段差部、３２…小径部、３３…関節収納部、３４…ストッパ、４１…ストッパ、４２…チェーン収納部、４３…チェーン、５１…第１の磁石、５２…第２の磁石、５３…透孔、５４…突部、６１…バネ、６２…導線
【図１】
2007251396.tif 000003
【図２】
2007251396.tif 000004
【図３】
2007251396.tif 000005
【図４】
2007251396.tif 000006
【図５】
2007251396.tif 000007
【図６】
2007251396.tif 000008
【図７】
2007251396.tif 000009